(57)【特許請求の範囲】
【請求項１】
外部から吸入した空気を清浄する空気清浄機と、
エアコンディショナーの空気吸入口を全体的に覆うように配置され、前記空気清浄機から排出された空気を前記空気吸入口に導く送風管と、
を備え、
前記送風管は、
前記空気吸入口が設けられた空気吸入面に平行に配置された底壁と、該底壁の対向する両縁部から前記空気吸入面方向に伸びる一対の側壁と、該側壁各々の先端側が互いに対向する側壁側に折り返された流出調整翼と、該流出調整翼間に形成された開口部と、を有するリップ溝形鋼であり、
前記空気清浄機は、前記両縁部の一端側に配置され、
前記流出調整翼部の前記側壁に直交する方向の幅は、前記空気清浄機から遠ざかるにしたがって短くなることを特徴とするエアコン吸気清浄システム。
【請求項２】
前記空気吸入面と前記送風管との間には、隙間が設けられていることを特徴とする
請求項１に記載のエアコン吸気清浄システム。
【請求項３】
前記空気清浄機と前記送風管とを接続し、前記空気清浄機から排出された空気を前記送風管に導く接続ソケットを備えたことを特徴とする
請求項１又は２に記載のエアコン吸気清浄システム。
【請求項４】
前記接続ソケットには、前記空気清浄機から排出された空気を前記空気吸入口に導く共用モードと、前記空気を前記空気吸入口に導かずに外部に排出する単独モードと、を切り替える切替弁が設けられていることを特徴とする
請求項３に記載のエアコン吸気清浄システム。
【発明の詳細な説明】
【技術分野】
【０００１】
本発明は、エアコン吸気清浄システムに関する。
【背景技術】
【０００２】
室内の冷暖房や除湿に使用されるエアコンディショナーは、吸い込んだ空気を清浄する機能が弱いため、密閉された室内で使用した場合、エアコンディショナーによる空気の吸込み及び排出の繰り返しによって、空気中に浮遊するウイルス、細菌、埃等が室内に拡散され、衛生上好ましくない。
【０００３】
このような問題を解決するために、特許文献１には、エアーコンディショナーの吸込みグリルの表側に、空気清浄フィルターを粘着テープによって取り付けることによって、当該空気清浄フィルターで空気を清浄してからエアーコンディショナーに吸い込ませることが記載されている。
【先行技術文献】
【特許文献】
【０００４】
【特許文献１】実用新案登録第３０５４５７０号公報
【発明の概要】
【発明が解決しようとする課題】
【０００５】
しかしながら、特許文献１に記載の技術では、吸込みグリルの面積に比較してかなり小さい面積の空気清浄フィルターが取り付けられているため、エアーコンディショナーに吸引される大部分の空気は空気清浄フィルターを通過することができず、空気清浄効果が低いという問題がある。
【０００６】
本発明は、上述した問題点を解決するためになされたものであり、エアーコンディショナーに吸引される前の空気を、高い割合で清浄することが可能なエアコン吸気清浄システムを提供することを目的とする。
【課題を解決するための手段】
【０００７】
上記目的を達成するために、本発明に係るエアコン吸気清浄システムは、
外部から吸入した空気を清浄する空気清浄機と、
エアコンディショナーの空気吸入口を全体的に覆うように配置され、前記空気清浄機から排出された空気を前記空気吸入口に導く送風管と、
を備えたことを特徴とする。
【０００８】
本発明によれば、送風管によって空気清浄機から排出された清浄空気の大部分を空気吸入口に導くことができるため、エアーコンディショナーに吸引される前の空気を高い割合で清浄することができる。
【０００９】
上記発明において、前記送風管は、
前記空気吸入口が設けられた空気吸入面に平行に配置された底壁と、該底壁の対向する両縁部から前記空気吸入面方向に伸びる一対の側壁と、該側壁各々の先端側が互いに対向する側壁側に折り返された流出調整翼と、該流出調整翼間に形成された開口部と、を有するリップ溝形鋼であり、
前記空気清浄機は、前記両縁部の一端側に配置され、
前記流出調整翼部の前記側壁に直交する方向の幅は、前記空気清浄機から遠ざかるにしたがって短くなることを特徴とする。
【００１０】
本発明によれば、エアコンディショナーの空気吸入面に送風管から均等に空気を供給することができる。
【００１１】
上記発明において、前記空気吸入面と前記送風管との間には、隙間が設けられていることを特徴とする。
【００１２】
本発明によれば、空気清浄機を稼働させない時は、当該隙間からエアコンディショナーの空気吸入口に空気を吸い込ませて、エアコンディショナーを単独で稼働させることができる。
【００１３】
上記発明において、前記空気清浄機と前記送風管とを接続し、前記空気清浄機から排出された空気を前記送風管に導く接続ソケットを備えたことを特徴とする。
【００１４】
本発明によれば、空気清浄機から排出された空気を確実に送風管に導くことができる。
【００１５】
上記発明において、前記接続ソケットには、前記空気清浄機から排出された空気を前記空気吸入口に導く共用モードと、前記空気を前記空気吸入口に導かずに外部に排出する単独モードと、を切り替える切替弁が設けられていることを特徴とする。
【００１６】
本発明によれば、切替弁を切り替えることで、空気清浄機及びエアコンディショナーをそれぞれ単独で使用することも、空気清浄機及びエアコンディショナーの両方を組み合わせて使用することもできる。
【図面の簡単な説明】
【００１７】
【図１】本発明の実施形態に係るエアコン吸気清浄システムの斜視図である。
【図２】空気清浄機の模式的縦断面図である。
【図３】送風管の斜視図である。
【図４】送風管を下側から見た図である。
【図５】接続ソケット付近の模式的縦断面図である。
【発明を実施するための形態】
【００１８】
以下、図面を参照して、本発明の実施の形態について詳細に説明する。
【００１９】
図１は、本発明の実施形態に係るエアコン吸気清浄システム１の斜視図である。エアコン吸気清浄システム１は、外部から吸入した空気を清浄する空気清浄機１０と、エアコンディショナー２０の空気吸入口２１が設けられた面（以下、「空気吸入面２２」という）を全体的に覆うように配置され、空気清浄機１０から排出された空気を空気吸入口２１に導く送風管３０と、空気清浄機１０と送風管３０とを接続する接続ソケット４０と、を備えている。
【００２０】
エアコンディショナー２０は一般的な家庭用の空調設備であり、本実施形態では、長さ約７００ｍｍ、幅約２８０ｍｍ、高さ約２５０ｍｍのサイズを有している。また、本実施形態では、空気吸入口２１は、エアコンディショナー２０の上面に設けられている。すなわち、本実施形態では、エアコンディショナー２０の上面が空気吸入面２２となっており、空気吸入面２２の上方に送風管３０が設けられている。また、エアコンディショナー２０の一方の側面側（本実施形態では、紙面に向かって右側の側面側）には、空気清浄機１０が配置されている。
【００２１】
図２は、空気清浄機１０の模式的縦断面図である。当該空気清浄機１０は、一般的な空気清浄機に対して、清浄した空気を上方に排出する排気口１７が設けられたものである。
具体的な構成としては、空気清浄機１０は、内部を保護する本体カバー１１と、空気中の埃等を除去して内部に吸引する網目フィルター１２と、内部に吸引された空気から帯電した埃を取り除き脱臭する多機能フィルター１３と、空気を殺菌するイオン発生器１４と、空気を吸引する吸引ファン１５と、吸引ファン１５を駆動する吸引モータ１６と、清浄された空気を外部に排出する排気口１７と、を備える。
【００２２】
これらのフィルター１２，１３により、空気中から径約０．１μｍの浮遊ウイルスを３０分間で９９％除去することができる。排気口１７から排出された空気は、接続ソケット４０を介して送風管３０に流れ込む。
【００２３】
図３は送風管３０の斜視図であり、図４は送風管３０を下側（エアコンディショナー２０側）から見た図である。送風管３０は、本実施形態では、長さ約７００ｍｍ、幅約２００ｍｍのリップ溝形鋼である。具体的には、送風管３０は、空気吸入面２２に平行に配置された底壁３１と、当該底壁３１の縁部のうち、長手方向の対向する両縁部から空気吸入面２２方向に伸びる一対の側壁３３と、当該側壁３３各々の先端側が互いに対向する側壁３３側に折り返されてリップ部を形成する流出調整翼３４と、当該流出調整翼３４間に形成された開口部３５と、を有する。
【００２４】
空気清浄機１０は送風管３０の長手方向の一端側に配置されており、各流出調整翼３４は、側壁３３に直交する方向の幅が空気清浄機１０から遠ざかるにしたがって短くなるテーパ形状を有している。
【００２５】
本実施形態では、送風管３０の幅（側壁３３に直交する方向の長さ）は２００ｍｍであり、各流出調整翼３４の幅は、空気清浄機１０側の端部で５０ｍｍであるが、空気清浄機１０から遠い側の端部では２０ｍｍに減少している。
空気清浄機１０から距離が遠くなるほど、空気清浄機１０から排出された空気は、速度が低下するとともに量が減少するため、流出調整翼３４を先細りにして、空気清浄機１０の設置位置から遠ざかるにしたがって開口部３５の幅を徐々に大きくすることで、送風管３０の開口部３５から空気吸入面２２側に排出される空気の量を均等にすることができる。
【００２６】
なお、上述した送風管３０のサイズは一例に過ぎず、空気清浄機１０から排出される空気の量と速度、エアコンディショナー２０の空気吸入口２１が設けられた空気吸入面２２の幅と長さ、エアコンディショナー２０が取り付けられている位置から天井までの距離等に応じて決定することができる。また、送風管３０は、エアコンディショナー２０の大きさに合わせて、適当な長さで切断して使用することができる。
【００２７】
上記構成の送風管３０を用いることにより、送風管３０からエアコンディショナー２０の空気吸入面２２に供給される空気の９４％を空気吸入口２１が吸入することができる。
【００２８】
空気吸入面２２と送風管３０との間には、隙間５０が設けられている。本実施形態では、隙間５０のサイズ（すなわち、エアコンディショナー２０の空気吸入面２２と送風管３０との間の距離）は、３５ｍｍである。
このような隙間５０を設けることで、空気清浄機１０を稼働させない時に、当該隙間５０からエアコンディショナー２０の空気吸入口２１に直接空気を吸い込ませて、エアコンディショナー２０を単独で稼働させることができる。
【００２９】
空気清浄機１０の排出口１７と送風管３０の長手方向の一端部とは、筒状の接続ソケット４０で接続されている。図５は、接続ソケット４０付近の模式的縦断面図である。接続ソケット４０は、空気清浄機１０の排気口１７から排出された空気を、送風管３０に導く横断面矩形状の空間を内部に有する。
詳細には、接続ソケット４０の排出口１７との接続部には、当該排気口１７から清浄空気を吸引する清浄空気吸入孔４１が設けられている。また、接続ソケット４０の送風管３０との接続部には、排気口１７から吸引した清浄空気を送風管３０に排出する清浄空気排出孔４２が設けられている。清浄空気吸入孔４１は空気清浄機１０の排気口１７の直上に設けられており、清浄空気排出孔４２は送風管３０の長手方向の一端側に設けられている。
上記構成の接続ソケット４０で空気清浄機１０と送風管３０とを接続することにより、空気清浄機１０から排出された空気を確実に送風管３０に導くことができる。
【００３０】
接続ソケット４０の下面（すなわち、清浄空気吸入孔４１が設けられている面）には、矩形状の開口部４３が設けられている。当該開口部４３は、当該開口部４３と同様の外形を有する矩形平板形状の切替弁４４で塞がれている。切替弁４４の４辺のうち、接続ソケット４０の幅方向に伸びる１辺は、接続ソケット４０の幅方向に伸びる開口部４３の１辺に回動可能に接続されている。
【００３１】
切替弁４４は、手動又は電動で回動させることにより、空気清浄機１０から排出された空気をエアコンディショナー２０の空気吸入口２１に導く共用モードと、空気清浄機１０から排出された空気を空気吸入口２１に導かずに外部に排出する単独モードと、を切り替えることができる。
共用モードとは、空気清浄機１０及びエアコンディショナー２０の双方を稼働させるモードであり、空気清浄機１０から排出された空気は、接続ソケット４０を通り、送風管３０に送られる。
一方、単独モードとは、空気清浄機１０を稼働させずにエアコンディショナー２０のみを稼働させるモードであり、空気清浄機１０から送風管３０への送風を遮断する。
【００３２】
共用モード時には、図５の実線で示すように、切替弁４４は接続ソケット４０の下面の開口部４３を閉塞している。
切替弁４４の４辺のうち、回動軸となる１辺と直交する辺は、接続ソケット４０の高さと同じ長さを有する。単独モード時には、図５の点線で示すように、切替弁４４は接続ソケット４０の下面と直交する位置まで起立し、空気清浄機１０から送風管３０への空気の通り道が遮断される。一方、接続ソケット４０の下面の開口部４３は開放され、空気清浄機１０から排出された空気は空気吸入口２１側には導かれずに、開口部４３から外部に排出される。
【００３３】
このように、切替弁４４を切り替えることで、空気清浄機１０及びエアコンディショナー２０をそれぞれ単独で使用することも、空気清浄機１０及びエアコンディショナー２０の両方を同時に稼働させて使用することもできる。
【００３４】
送風管３０の長手方向端部のうち、接続ソケット４０が接続されている側とは反対側の端部には、流止・エアコン間隔調整板６０が設けられている。流止・エアコン間隔調整板６０は、空気清浄機１０から接続ソケット４０、送風管３０を通って流れる空気を止める機能、及び、隙間５０の調整を行う機能を有する。流止・エアコン間隔調整板６０は、送風管３０の前記端部に取り付けられる取付部６１と、取付部６１から下方に隙間５０のサイズだけ（本実施形態では、３５ｍｍ）伸びる突出板部６２と、を有する。突出板部６２は送風管３０の幅２００ｍｍと同じ幅を有するが、両脇から空気が漏れるのを防ぐために、送風管３０の幅よりも広い幅を有していてもよい。
【００３５】
流止・エアコン間隔調整板６０は、エアコンディショナー２０に固定せずに、エアコンディショナー２０の上に載置される。これにより、既存のエアコンディショナー２０を用いてエアコン吸気清浄システム１を組み立てる際に、組立が容易になるとともに、既存のエアコンディショナー２０に負荷がかかるのを防止することができる。
【００３６】
上記構成のエアコン吸気清浄システム１において、空気清浄機１０及びエアコンディショナー２０の両方を稼働させると、空気清浄機１０は、外部から吸入した空気を、網目フィルター１２、多機能フィルター１３及びイオン発生器１４を通して清浄した上で、排気口１７から排出する。
空気清浄機１０の排気口１７から排出された清浄空気は、接続ソケット４０及び送風管３０を通って、エアコンディショナー２０の空気吸入口２１に供給される。送風管３０がリップ溝形鋼の形状を有しており、流出調整翼３４が先細りのテーパ形状を有しており、先端部に流止・エアコン間隔調整板６０を設けたことにより、空気清浄機１０から排出された空気の大部分を空気吸入口２１に導くことができ、エアコディショナー２０に清浄空気を吸引させることができる
【００３７】
以上、説明したように、エアコン吸気清浄システム１は、外部から吸入した空気を清浄して排出する空気清浄機１０と、エアコンディショナー２０における空気吸入口２１が設けられた空気吸入面２２を全体的に覆うように配置され、空気清浄機１０から排出された空気を空気吸入口２１に導く送風管３０と、を備えるため、空気清浄機１０から排出された空気の大部分を空気吸入口２１に導くことができ、エアコディショナー２０が吸引する前の空気を高い割合で清浄することができる。したがって、エアコン吸気清浄システム１を密閉された室内で使用したとしても、室内において汚染された空気が拡散することはなく、清浄空気を循環させることができる。
【００３８】
なお、上述した実施形態は一例に過ぎず、特許請求に記載の発明の要旨を変更しない範囲内で種々の変形が可能である。例えば、上述した実施形態における各部材の形状、サイズ、長さ、位置関係等は一例に過ぎない。
例えば、上述した実施形態では、空気吸入口２１はエアコンディショナー２０の上面に設けられているとして説明したが、これに限定されることはなく、正面に設けられていてもよいし、側面に設けられていてもよい。
また、上述した実施形態では、空気清浄機１０は紙面に向かってエアコンディショナー２０の右側面側に設けたが、左側面側に設けてもよい。
また、上述した実施形態におけるエアコディショナー２０は、一般家庭用等に使用されている小型のものを想定しているが、これに限定されることはなく、小規模の店舗や事務所等で使用されている業務用エアコンやセントラルヒーテングと言われる機構や、大型ビル等でビル内の空気を一括集中的に温度・湿度調整を行う機構であってもよく、エアコディショナー２０としてこのような機構を用いる場合は、各部屋から吸入した空気を温度調整を行う前段階で、その容量に適合した空気清浄機１０を取り付け、空気の洗浄作業を行う。
【符号の説明】
【００３９】
１  エアコン吸気清浄システム
１０  空気清浄機
１１  フロントカバー
１２  網目フィルター
１３  多機能フィルター
１４  イオン発生器
１５  吸引ファン
１６  吸引モータ
１７  排気口
２０  エアコンディショナー
２１  空気吸入口
２２  空気吸入面
３０  送風管
３１  底壁
３３  側壁
３４  流出調整翼
３５  開口部
４０  接続ソケット
４１  清浄空気吸入孔
４２  清浄空気排出孔
４３  開口部
４４  切替弁
５０  隙間
６０  流止・エアコン間隔調整板
６１  取付部
６２  突出板部
【要約】
【課題】エアーコンディショナーに吸引される前の空気を、高い割合で清浄することが可能なエアコン吸気清浄システムを提供する。
【解決手段】エアコン吸気清浄システム１は、外部から吸入した空気を清浄して排出する空気清浄機１０と、エアコンディショナー２０の空気吸入口２１を全体的に覆うように配置され、空気清浄機１０から排出された空気を空気吸入口２１に導く送風管３０と、を備える。
【選択図】図１【図１】
0006888865.tif 000002
【図２】
0006888865.tif 000003
【図３】
0006888865.tif 000004
【図４】
0006888865.tif 000005
【図５】
0006888865.tif 000006